(57)【要約】【課題】従来技術のスピーカよりも簡単な構造になっており、同時にコストを削減しながら大幅な小型化を可能にするようなスピーカを提供する。【解決手段】ダイヤフラム（３）と、これに取り付けられた可動コイル（４）と、ダイヤフラムホルダ（５）と、磁石システム（２）と、必要応じて前面カバー（７）および／または裏面カバーと、デジタル増幅器とを備え、電気力学の原理に基づいて作動し、特に電話、移動電話、電話用のハンズフリー装置、ヘッドホンなどの小型機器に組み込まれる小型化されたスピーカである。集積回路（１０）の形態のデジタル増幅器（９）が、磁石システム（２）またはダイヤフラムホルダ（５）に配置され、もしくは、前面カバー（７）ないし裏面カバーの内側に配置される。【選択図】　図１
2004147320.tif 000002
【特許請求の範囲】
【請求項１】
　ダイヤフラム（３）と、これに取り付けられた可動コイル（４）と、ダイヤフラムホルダ（５）と、磁石機構（２）と、前面カバー（７）および／または裏面カバーと、デジタル増幅器（９）とを備え、電気力学の原理に基づいて作動し、特に電話、移動電話、電話用のハンズフリー装置、またはヘッドホンなどの小型機器に組み込み可能な小型化されたスピーカにおいて、
　集積回路（１０）の形態のデジタル増幅器（９）が、磁石機構（２）またはダイヤフラムホルダ（５）に配置されるか、もしくは、前面カバー（７）ないし裏面カバーの内側に配置されることを特徴とする小型化されたスピーカ。
【請求項２】
　前記磁石機構（２）が、内部に集積回路（１０）が配置された凹部または貫通部（１２）を有することを特徴とする請求項１に記載のスピーカ。
【請求項３】
　前記集積回路（１０）が、磁石機構（２）と結合された配線板に装着されていることを特徴とする請求項２に記載のスピーカ。
【請求項４】
　前記集積回路（１０）が、前面カバー（７）または裏面カバーの少なくとも一部を形成する配線板に配置されていることを特徴とする請求項１に記載のスピーカ。
【発明の詳細な説明】
【技術分野】
【０００１】
　本発明はダイヤフラムと、これに取り付けられた可動コイルと、ダイヤフラムホルダと、磁石システムと、場合により前面カバーおよび／または裏面カバーと、増幅器とを備え、電気力学の原理に基づいて作動し、特に電話、移動電話、電話用のハンズフリー装置、ヘッドホンなどの小型機器に組み込むことが可能な小型化されたスピーカに関するものである。
【背景技術】
【０００２】
　このような種類のスピーカは、磁石システムとダイヤフラムとで構成されており、ダイヤフラムはこれに取り付けられたコイルとダイヤフラムホルダとを備えており、ダイヤフラムホルダは磁石システムと適合するように取り付けられ、ダイヤフラムが磁石システムに対して位置決めされる。
【０００３】
　場合によっては、さらに前面カバーおよび／または裏面カバーがこれに加わる。増幅器ないし終段増幅器がスピーカのすぐ近くに格納される、従来技術から公知となっている小型化されたスピーカでは、必然的に裏面カバーが設けられており、増幅器を支持する配線板が、熱的な理由から裏面カバーの外側に取り付けられる。
【０００４】
　一般にスピーカは、いくつかの基準に従って異なるグループに区分することができる。１つの基本的な区分は作動原理であり、電気力学型スピーカと静電型スピーカが区別される。後者は、いろいろな理由から、電気力学の原理に基づいて作動するスピーカよりもはるかに高価であり、そのため明らかに価格の高い機器でしか用いられていない。
【０００５】
　もう１つ別の区分は、受動的なスピーカと能動的なスピーカへの区分である。ハイファイ設備で用いられることが多い通常のスピーカは受動的なスピーカであり、すなわち、変換されるべき信号が、他に増幅やエネルギー供給が必要ないような強度で、ケーブルを介して供給される。能動的なスピーカは、ハウジングの内部に終段増幅器が組み込まれているので、信号回線は出力の小さい情報だけを供給し、したがって格別に細く柔軟に構成されていてよく、所望のエネルギーレベルへの増幅はスピーカハウジング自体の内部で初めて行われる。この場合、増幅器は、古典的なラジオ機器等の場合と同じように独自のシャーシに格納されており、スピーカ自体には、すでに必要な強度を有している信号しか供給されないので、「能動的なスピーカ」という表現は全面的に正しいわけではなく、厳密に言えば、共通のハウジングに格納された組み合わせしかこの表現には該当しない。
【０００６】
　さらに、使用される増幅器も、能動的なスピーカでそのハウジングの内部で使用されるか、それとも、受動的なスピーカで独自のハウジングの内部に配置されるかに関わりなく、さまざまな基準に従って区分することができ、原理的にアナログ増幅器とデジタル増幅器に区分することができる。
【０００７】
　本発明は、移動電話、ヘッドホン、ハンズフリー装置等の小型機器における小型化された電気力学式のスピーカで、デジタル増幅器を使用するものだけを対象としている。
【０００８】
　デジタル式の利用分野では、個々のコンポーネントを技術水準が許す限り小型に構成することだけでなく、できるだけ構成部品を省略できるように、ないしは複数の構成部品を一体化して共通の取付部品にできるように、個々のコンポーネントを配置することに根本的な重要性がある。当然ながら、現在では大量の個数が製造されるので、製造コストを何らかの形でできる限り低く抑えることも決定的に重要である。
【発明の開示】
【発明が解決しようとする課題】
【０００９】
　本発明の目的は、従来技術のスピーカよりも簡単な構造になっており、そのような形で、同時にコストを削減しながら大幅な小型化を可能にする、冒頭に定義した種類のスピーカを提供することにある。
【課題を解決するための手段】
【００１０】
　本発明によればこの目的は、（集積回路の形態の）デジタル増幅器が、磁石機構（磁石システム）またはダイヤフラムホルダに配置され、もしくは、前面カバーないし裏面カバーの内側に配置されることによって達成される。
【００１１】
　本発明の基本思想は、前面カバーと裏面カバーとで構成される容積部の内部に、すなわち、スピーカの内部に増幅器を設けることにある。本発明に基づく用途ではしばしばそうであるように、これらのカバーがなく、その役割を機器の一部が引き受けているときは、本発明によれば、増幅器を磁石システムまたはダイヤフラムホルダに取り付けることができる。
【００１２】
　本明細書および特許請求の範囲では、磁石システムないしダイヤフラムホルダは必ずしも一体的に構成されたコンポーネントを指しているわけではなく、これらのコンポーネントは複数の個別部品から構成されていてもよく、たとえばコイルの接触を容易にするために導電性材料からなる挿入物を有していてもよいことを指摘しておく。また、所望の音響効果を得るために設けられる、スピーカ技術から当業者に周知のコンポーネント、たとえば摩擦ピル等が設けられていてもよく、このようなコンポーネントは、本発明の枠内では、開口部や貫通部が設けられたコンポーネントに付属する。
【００１３】
　本発明が適用される分野のスピーカのための最近のデジタル増幅器は高度に集積化されており、実質的にただ１つの集積回路と、場合によりいくつか少数の追加コンポーネントとで構成されているので、これをスピーカの適当な部位に直接取り付けることは、本発明を知ったうえであれば、当業者には大した問題もなく可能である。
【発明を実施するための最良の形態】
【００１４】
　次に、いくつかの実施形態にしたがって本発明を説明する。
【００１５】
　図１から明らかなように、当分野に属する小型スピーカ１は、磁石システム２と、ダイヤフラム３に固定して取り付けられたコイル４を備えるダイヤフラム３と、ダイヤフラムホルダ５とで構成されている。図示した例では、コイル４に電流を供給するための引込線６と、前面カバー７も設けられている。ダイヤフラムホルダ５には連絡開口部８が純粋に模式的に示されており、この連絡開口部８を通じて、スピーカ１の所望の特性を得るために、ダイヤフラム３の「後側」にある容積部が周囲とつながっている。当然ながら、連絡開口部８には摩擦ピル等が設けられていてよく、ないしは開口部をそれ自体として、適当な調整を実現するために作用させることもできる。
【００１６】
　そして本発明によれば、実質的に集積回路１０とその配線板１１とで構成されるデジタル増幅器９が、磁石システム２に直接配置されており、集積回路１０は、切欠きに配置されるか、もしくは磁石システム２に直接配置されるか、もしくは磁石システム２の貫通部（通過部）１２に配置され、従来のように（本発明では必要のない）裏面カバーの外面に配置されるのではない。
【００１７】
　図１と同じ構成部品には同じ符号が付してある図２は、デジタル増幅器９が前面カバー１３の内側の面に配置される第２の実施形態を示している。
【００１８】
　この前面カバー１３は、ダイヤフラム３から音が出ることを可能にするために貫通部１４を有している。この図面には、それ以外の連絡開口部（図１）は図示されていないが、当然ながら、こうした連絡開口部が設けられていてもよい。その代わりに、ダイヤフラム３から配線板１１への内部的な連絡部１５が図示されている。
【００１９】
　図３は、第３の実施形態であり、小型スピーカ１を比較的大きな挿入部品に嵌め合わせることが意図されており、その目的のためにダイヤフラムホルダ５が包囲リング１６を有している場合に、格別に好都合なものである。
【００２０】
　包囲リング１６は独立した部品であってよく、または、ダイヤフラムホルダ５と一体的に構成されていてもよい。この場合、デジタル増幅器９の集積回路１０は、場合により配線板を使わずに、包囲リング１６の中空スペースないし凹部に直接配置することができる。
【００２１】
　包囲リング１６に代えて、スピーカを取り付ける役目をする、半径方向外側に向かって突出する１つまたは複数の突起が設けられていてもよく、このような突起もデジタル増幅器９の収容に利用することができる。
【００２２】
　当然ながら上記以外の変形例も考えることができ、たとえば、どのような理由からであれ裏面カバーが必要な場合には、デジタル増幅器９をこの裏面カバーの内側に配置することができ、すなわち、機械的および電磁的な妨害に対して特に優れた防護がなされるように配置することができる。
【００２３】
　図面には、弾性作用のある舌部２１として図示された外側の接触部が、あくまでも模式的に示されている。当然ながら、接触部のこれ以外のどのような形態を選択することも可能であるが、図示している形態は格別な利点を有している。すなわち、公差が補償されることや、対称軸に沿った運動のときでも接触面での摺動につながる、舌部２１と対抗面の間で運動が起こるたびに、接触面が自動清掃されるという利点を有している。
【００２４】
　本発明による小型スピーカの製造は、本発明を知ったうえであれば電気音響分野の当業者にとっていかなる問題もなく実施でき、また増幅器の配置に応じて相応の部品の製造方法が採用され、組立のときに配線の通し方を考えればよい。
【図面の簡単な説明】
【００２５】
【図１】本発明の第１実施形態の断面図である。
【図２】本発明の第２実施形態の断面図である。
【図３】本発明の第３実施形態の断面図である。
【符号の説明】
【００２６】
　１　スピーカ
　２　磁石機構（磁石システム）
　３　ダイヤフラム
　４　可動コイル
　５　ダイヤフラムホルダ
　７　前面カバー
　９　デジタル増幅器
　１０　集積回路
【図１】
2004147320.tif 000003
【図２】
2004147320.tif 000004
【図３】
2004147320.tif 000005